(57)【要約】【課題】第１可動壁A6及び第２可動壁A7で第１収容室R1を区画し、第２可動壁A7上方に第２収容室R2を区画し、第１可動壁A6の押し込み時に第２可動壁A7外周を介して第１収容室内と第２収容室R2内とが連通する連通凹部13を第２収容室R2内周に凹設した二室容器Ａに対し、それらを使用時に簡単な操作で装着して混合し、また、混合後は簡単に離脱させて混合剤が収容された容器として使用することができる混合装置を提案する。【解決手段】  二室容器Ａの上方への抜け出しを防止すべく係止し且つ二室容器Ａの離脱が可能に嵌合させた筒状基体B2を台座B1上に回転可能に装着し、台座B1と筒状基体B2との相対回転により、螺子部材B4と、連係部材B5を備えた内蔵昇降機構により上昇する押圧筒B3の先端で第１可動壁A6を押し上げて各収容室内の二剤を混合する如く構成した。【選択図】図１
2010253113.tif 000002
【特許請求の範囲】
【請求項１】
第１可動壁A6及び第２可動壁A7で第１収容室R1を区画するとともに、第２可動壁A7上方に第２収容室R2を区画し、第１可動壁A6の押し込み時に第２可動壁A7外周を介して第１収容室R1内と第２収容室R2内とが連通する連通凹部13を第２収容室R2内周に凹設した二室容器Ａを着脱自在に装着して混合する二室容器の混合装置であって、台座B1上に回転可能に装着し、少なくとも上端部を突出した状態の二室容器Ａを離脱が可能に且つ上方への抜け出しを防止すべく係止して上部に嵌合させた筒状基体B2と、台座B1に対して回転を防止し且つ上下動可能に装着した押圧筒B3と、内方への弾性傾倒が可能に起立した支持杆81の上端部に螺条片83を備えた螺子部材B4と、装着した二室容器Ａにより上方付勢に抗して押し下げられることで螺子部材B4を内方へ押圧傾倒させて螺子部材B4の螺条片83を押圧筒B3の螺条75に螺合させ、且つ、筒状基体B2の回転を螺子部材B4に伝達する連係部材B5とを備え、台座B1と筒状基体B2との相対回転により上昇する押圧筒B3の先端により第１可動壁A6を押し上げて各収容室内の二剤を混合する如く構成したことを特徴とする二室容器の混合装置。
【請求項２】
第１可動壁A6及び第２可動壁A7で第１収容室R1を区画するとともに、第２可動壁A7上方に第２収容室R2を区画し、第１可動壁A6の押し込み時に第２可動壁A7外周を介して第１収容室R1内と第２収容室R2内とが連通する連通凹部13を第２収容室R2内周に凹設した二室容器Ａを着脱自在に装着して混合する二室容器の混合装置であって、上面中央に支持棒50を起立した台座B1と、台座B1上に回転可能に起立するとともに、少なくとも上端部を突出した状態の二室容器Ａを離脱が可能に且つ上方への抜け出しを防止すべく係止して上部に嵌合させた筒状基体B2と、支持棒50外周に支持棒50に対する回転を防止して上下動可能に嵌合させ、外周に螺条75を備えた押圧筒B3と、下端部を台座B1上に回転可能に嵌合した環状の取付基板80より周方向等間隔に複数の支持杆81を起立するとともに、中心側への弾性的な傾倒が可能な各支持杆81の先端内側に螺条片83を設けた螺子部材B4と、装着した二室容器Ａにより上方付勢に抗して押し下げられることで螺子部材B4を内方へ押圧傾倒させ、螺子部材B4の螺条片83を押圧筒B3の螺条75に螺合させ、且つ、筒状基体B2の回転を螺子部材B4に伝達する連係部材B5とを備え、台座B1と筒状基体B2との相対回転により上昇する押圧筒B3の先端により第１可動壁A6を押し上げて各収容室内の二剤を混合する如く構成したことを特徴とする二室容器の混合装置。
【請求項３】
上記連係部材B5が、筒状基体B2の内周下部に回動可能に装着した筒部90の上端よりテ−パ筒状の押圧部95を立設してなり、上記螺子部材B4が、上面が外方へ下る傾斜面84をなす螺条用突部82を各支持杆81の上端より突設するとともに、螺条用突部82内面に螺条片83を形成してなり、二室容器Ａの装着時に押圧部95内面のテ−パ面96が傾斜面84を押圧して各支持杆81を内方へ傾倒させる如く構成した請求項２記載の二室容器の混合装置。
【請求項４】
上記筒状基体B2が、台座B1上面周縁部に起立した係止筒52内面に突設した係止突条51に外周下端部に突設した係合突条62を乗り越え係合させて上方への抜け出しを防止し、且つ、台座B1の支持筒53の上面に、下部周壁部60内面に突設した縦リブ61の下面を載置し、以て台座B1上に筒状基体B2の下端部を回転可能に連結した請求項２又は請求項３のいずれかに記載の二室容器の混合装置。
【請求項５】
筒状基体B2の上部周壁部70の上端より、二室容器Ａの外周下部に突設した係合突起14が挿通可能な挿通路71を設け、該挿通路71に連続する下向き段部73を上部周壁部70内側に設け、挿通路71の上端より挿通した係合突起14を、二室容器Ａの上方への抜け出しを防止すべく下向き段部73に係止し、上部周壁部70に対する相対回転により係合突起14を挿通路71位置に回動することで二室容器Ａを離脱が可能に構成した請求項２又は請求項４のいずれかに記載の二室容器の混合装置。
【発明の詳細な説明】
【技術分野】
【０００１】
本発明は二室容器の混合装置に関する。
【背景技術】
【０００２】
内部に注射液の成分が隔離状態で保たれ、外部からの作用により一緒にして混合しかつ溶解させることができるように構成された注射液成分用の容器を備えた注射装置が提案されている。（例えば、特許文献１参照）
【０００３】
前記容器は前端部が貫通可能な膜によりシールされ、貫通可能な膜と前側可動壁部材との間のスペース内に注射液の固形成分を収納し、また前側可動壁部材と後側可動壁部材との間のスペース内に注射液の液体成分を収納し、更に管状壁部に後側可動壁部材を液体及び前側可動壁部材と共に移動するときに液体成分が前側可動壁部材を越えて流通して固形成分と混合するための連絡通路を備えている。
【０００４】
また、上記注射装置は、注射液の成分を一緒にして混合するように内部に容器を固定することができるホルダー手段を備えている。このホルダー手段は容器の外周に二重筒状に設けた管状部材と、該管状部材内周に先端部外周を螺合させた管状部材との２個の管状部材により構成され、一方の管状部材をねじ込んだ際に容器の後部の後側可動壁部材が液体および前側可動壁部材と一緒に前方に移動され、それにより液体が連絡通路を通って固形成分のスペースに流入して液体を固形成分と混合して溶液を調整するような押圧機構を備えている。
【先行技術文献】
【特許文献】
【０００５】
【特許文献１】特公平０６−６１３６１号公報
【発明の概要】
【発明が解決しようとする課題】
【０００６】
上記装置は成分を非常に静かにかつ安全に混合することができる優れたものであるが、上記ホルダー手段及び押圧機構を容器と一体に組み入れているため、容器に対してこれらの構造を各々設けていなくてはならず、構造が複雑となるとともに、不経済でもある。
【０００７】
本発明では、上記従来例の如く、第１可動壁及び第２可動壁で区画された第１収容室と、第２可動壁上方に区画された第２収容室とを備え、第１可動壁の押し込み時に第２可動壁外周を介して第１収容室内と第２収容室内とが連通する連通凹部を第２収容室内周に凹設した二室容器に対し、それらを使用時に簡単な操作で装着して混合し、また、混合後は簡単に離脱させて混合剤が収容された容器として使用することができる混合装置を提案する。
【課題を解決するための手段】
【０００８】
第１の手段として、以下の通り構成した。即ち、第１可動壁A6及び第２可動壁A7で第１収容室R1を区画するとともに、第２可動壁A7上方に第２収容室R2を区画し、第１可動壁A6の押し込み時に第２可動壁A7外周を介して第１収容室R1内と第２収容室R2内とが連通する連通凹部13を第２収容室R2内周に凹設した二室容器Ａを着脱自在に装着して混合する二室容器の混合装置であって、台座B1上に回転可能に装着し、少なくとも上端部を突出した状態の二室容器Ａを離脱が可能に且つ上方への抜け出しを防止すべく係止して上部に嵌合させた筒状基体B2と、台座B1に対して回転を防止し且つ上下動可能に装着した押圧筒B3と、内方への弾性傾倒が可能に起立した支持杆81の上端部に螺条片83を備えた螺子部材B4と、装着した二室容器Ａにより上方付勢に抗して押し下げられることで螺子部材B4を内方へ押圧傾倒させて螺子部材B4の螺条片83を押圧筒B3の螺条75に螺合させ、且つ、筒状基体B2の回転を螺子部材B4に伝達する連係部材B5とを備え、台座B1と筒状基体B2との相対回転により上昇する押圧筒B3の先端により第１可動壁A6を押し上げて各収容室内の二剤を混合する如く構成した。
【０００９】
第２の手段として、以下の通り構成した。即ち、第１可動壁A6及び第２可動壁A7で第１収容室R1を区画するとともに、第２可動壁A7上方に第２収容室R2を区画し、第１可動壁A6の押し込み時に第２可動壁A7外周を介して第１収容室R1内と第２収容室R2内とが連通する連通凹部13を第２収容室R2内周に凹設した二室容器Ａを着脱自在に装着して混合する二室容器の混合装置であって、上面中央に支持棒50を起立した台座B1と、台座B1上に回転可能に起立するとともに、少なくとも上端部を突出した状態の二室容器Ａを離脱が可能に且つ上方への抜け出しを防止すべく係止して上部に嵌合させた筒状基体B2と、支持棒50外周に支持棒50に対する回転を防止して上下動可能に嵌合させ、外周に螺条75を備えた押圧筒B3と、下端部を台座B1上に回転可能に嵌合した環状の取付基板80より周方向等間隔に複数の支持杆81を起立するとともに、中心側への弾性的な傾倒が可能な各支持杆81の先端内側に螺条片83を設けた螺子部材B4と、装着した二室容器Ａにより上方付勢に抗して押し下げられることで螺子部材B4を内方へ押圧傾倒させ、螺子部材B4の螺条片83を押圧筒B3の螺条75に螺合させ、且つ、筒状基体B2の回転を螺子部材B4に伝達する連係部材B5とを備え、台座B1と筒状基体B2との相対回転により上昇する押圧筒B3の先端により第１可動壁A6を押し上げて各収容室内の二剤を混合する如く構成した。
【００１０】
第３の手段として、以下の通り構成した。即ち、前記第２の手段に於いて、上記連係部材B5が、筒状基体B2の内周下部に回動可能に装着した筒部90の上端よりテ−パ筒状の押圧部95を立設してなり、上記螺子部材B4が、上面が外方へ下る傾斜面84をなす螺条用突部82を各支持杆81の上端より突設するとともに、螺条用突部82内面に螺条片83を形成してなり、二室容器Ａの装着時に押圧部95内面のテ−パ面96が傾斜面84を押圧して各支持杆81を内方へ傾倒させる如く構成した。
【００１１】
第４の手段として、以下の通り構成した。即ち、前記第２の手段又は第３の手段のいずれかの手段に於いて、上記筒状基体B2が、台座B1上面周縁部に起立した係止筒52内面に突設した係止突条51に外周下端部に突設した係合突条62を乗り越え係合させて上方への抜け出しを防止し、且つ、台座B1の支持筒53の上面に、下部周壁部60内面に突設した縦リブ61の下面を載置し、以て台座B1上に筒状基体B2の下端部を回転可能に連結した。
【００１２】
第５の手段として、以下の通り構成した。即ち、前記第２の手段乃至第４の手段のいずれかの手段に於いて、筒状基体B2の上部周壁部70の上端より、二室容器Ａの外周下部に突設した係合突起14が挿通可能な挿通路71を設け、該挿通路71に連続する下向き段部73を上部周壁部70内側に設け、挿通路71の上端より挿通した係合突起14を、二室容器Ａの上方への抜け出しを防止すべく下向き段部73に係止し、上部周壁部70に対する相対回転により係合突起14を挿通路71位置に回動することで二室容器Ａを離脱が可能に構成した。
【発明の効果】
【００１３】
本発明によれば、二室容器Ａを使用する際に、簡単な操作で二室容器Ａを装着して、簡単な操作で二剤の混合ができ、混合後は簡単に外して使用に供することができるため、混合後の二室容器Ａを一つの吐出装置を利用して使用することができるので、吐出装置の構造を極力シンプル化して製造コスト、原料コストを極力低下させることができる。また、二室容器Ａの取り付け時に自動的に螺条片83が螺条75と螺合するため、常時は螺子部材B4に無駄な力がかからずに耐久性の向上を図ることができる。さらに、螺条片83は二室容器Ａの混合後に取り外した際に自動的に螺合状態を解除し、それに伴って、押圧筒B3も自動的に元の状態に下降するため、次の二室容器Ａの装着準備を自動的にできるという利点がある。
【００１４】
上記連係部材B5が、筒状基体B2の内周下部に回動可能に装着した筒部90の上端よりテ−パ筒状の押圧部95を立設してなり、上記螺子部材B4が、上面が外方へ下る傾斜面84をなす螺条用突部82を各支持杆81の上端より突設するとともに、螺条用突部82内面に螺条片83を形成してなり、二室容器Ａの装着時に押圧部95内面のテ−パ面96が傾斜面84を押圧して各支持杆81を内方へ傾倒させる如く構成した場合には、二室容器Ａの装着による螺条片83と螺条75との螺合をより円滑に行える利点がある。
【００１５】
上記筒状基体B2が、台座B1上面周縁部に起立した係止筒52内面に突設した係止突条51に外周下端部に突設した係合突条62を乗り越え係合させて上方への抜け出しを防止し、且つ、台座B1の支持筒53の上面に、下部周壁部60内面に突設した縦リブ61の下面を載置し、以て台座B1上に筒状基体B2の下端部を回転可能に連結した場合には、内部に押圧筒B3，螺子部材B4，連係部材B5を収納しての台座B1と筒状基体B2の組み付けが極めて簡単に行える。      
【００１６】
筒状基体B2の上部周壁部70の上端より、二室容器Ａの外周下部に突設した係合突起14が挿通可能な挿通路71を設け、該挿通路71に連続する下向き段部73を上部周壁部70内側に設け、挿通路71の上端より挿通した係合突起14を、二室容器Ａの上方への抜け出しを防止すべく下向き段部73に係止し、上部周壁部70に対する相対回転により係合突起14を挿通路71位置に回動することで二室容器Ａを離脱が可能に構成した場合には、二室容器Ａの係脱及び着脱が極めて容易となる。
【図面の簡単な説明】
【００１７】
【図１】二室容器を装着した混合装置の半断面図である。（実施例１）
【図２】下部周壁部部分の横断面図である。（実施例１）
【図３】二室容器を装着した内容物混合後の混合装置の半断面図である。（実施例１）
【図４】二室容器を取り外した状態の混合装置の半断面図である。（実施例１）
【図５】二室容器装着時の混合装置の半断面図である。（実施例１）
【発明を実施するための形態】
【００１８】
以下、本発明の形態を図面を参照して説明する。
【００１９】
図１に於いてＡは二室容器を、Ｂは二室容器Ａの混合装置をそれぞれ示す。
【００２０】
二室容器Ａは、本体部A1と、中栓A2と、固定枠A3と、針装着部材A4と、キャップA5と、第１可動壁A6と、第２可動壁A7とを備えている。
【００２１】
本体部A1は、円筒状の内周壁10と、円筒状の外周壁11とを、下端に嵌着した連結筒部材12により嵌合連結し一体化している。また、内周壁10の上下方向中間部所定位置には、上下所定幅を外方へ凹ませた（膨出させた）連通凹部13を形成しており、内周壁10の上端部は縮径した縮径部10a を形成している。また、外周壁11外面下部の対向位置には一対の係合突起14を突設している。
【００２２】
中栓A2は、柔軟で弾力性に富む材質で形成され、周縁部を縮径部10a 上面に載置して縮径部10a 上端開口を閉塞する蓋板部20を備え，蓋板部20の裏面から垂設したシール筒21を縮径部10a 内周に液密に嵌合させて構成している。
【００２３】
固定枠A3は、中栓A2を縮径部に固定する役割を果たす。固定枠A3は、縮径部10a 外周に密嵌した周壁部25の上端より蓋板部20の上面周縁部を押圧するフランジ部26を延設しており周壁部25の外周に螺条を周設している。
【００２４】
針装着部材A4は、周壁部25の外周に螺着した螺筒30の上端より頂板31を延設し、頂板31中央に金属製の針32を嵌着固定しており、固定枠A3に装着する際に、針32の下部を中栓A2の蓋板部20を貫通させて、混合物の注出が可能に構成している。
【００２５】
キャップA5は、針装着部材A4に対して着脱可能に装着している。
【００２６】
第１可動壁A6と第２可動壁A7とは、図１に示す如く、所定の間隔をあけて内周壁10内面にその外周縁をそれぞれ液密摺動可能に嵌合させており、第１可動壁A6と第２可動壁A7との間に第１収容室R1を画成し、第２可動壁A7の上方に第２収容室R2を画成している。第２可動壁A7は連通凹部13より下方所定位置に嵌合されており、言い換えれば連通凹部13は第２可動壁A7より上方所定位置に凹設されている。また、第２可動壁A7周縁部の縦幅は、連通凹部13の縦幅より小さく、第２可動壁A7が連通凹部13の上下中間部分に差し掛かった際に上下が連通する如く構成している。
【００２７】
混合装置Ｂは、台座B1と、筒状基体B2と、押圧筒B3と、螺子部材B4と、連係部材B5とを備えている。
【００２８】
台座B1は下部をテ−パ状に広げた下端開口の伏皿状をなし、上面中央部に支持棒50を起立し、また、内周上部に係止突条51を周設した係止筒52を上面周縁部に起立するとともに、係止筒52の内方に支持筒53を起立して、筒状基体B2の基端部を回転可能に連結している。
【００２９】
筒状基体B2は、下部筒状基体B2a と、上部筒状基体B2b の２部材で構成している。下部筒状基体B2a は、下部周壁部60の内周対向位置に一対縦設した縦リブ61の下面を台座の支持筒53上に当接係止するとともに、下部周壁部60の外周下端部より突設した係合突条62を台座B1の係止突条51下面に乗り越え係合させて上方への抜け出しを防止し、且つ、相互の回転が可能に連結している。また、下部周壁部60の上端縁より内方へフランジ63を延設し、フランジ63の上面より上方へ嵌合筒64を起立している。
【００３０】
上部筒状基体B2b は、嵌合筒64外周に上部周壁部70の下部を嵌着固定し、また、上部周壁部70の上部は小径部70a に形成し、小径部70a の対向する部位に、内部を上記係合突起14が挿通する挿通路71とした膨出部72を形成している。小径部70a の内径部分は、二室容器Ａの下部外径と略同じかやや大きく構成されて二室容器Ａの下部が挿通可能であり、また嵌合可能に構成され、その際、二室容器Ａの各係合突起14が各挿通路71を通って下降し、最下降位置で二室容器Ａを上部周壁部70に対して相対回動させると、各小径部70a 下面が形成する下向き段部73に各係合突起14が係合して二室容器Ａの上方への抜け出しを防止する如く構成している。
【００３１】
押圧筒B3は支持棒50外周に回動を防止して上下動可能に嵌合させ、外周には螺条75を周設している。この場合の押圧筒B3は、外周を非円形に形成した支持棒50の外周に、その外周と相似形状に形成した内周を嵌合することで支持棒50に対する回動を防止する如く構成している。
【００３２】
螺子部材B4は、段部を介して外周を低く形成した平面視リング状の取付基板80を、台座B1上の支持筒53内周下端部に回動可能に嵌合させ、取付基板80の内周縁より上方に円弧板状の支持杆81を起立している。各支持杆81は対向位置に一対起立し、上端より内方へ螺条用突部82を突設し、螺条用突部82の内周面に螺条片83を設けている。また、螺条用突部82の上面は外方へ下る傾斜面84に形成している。各螺条片83は押圧筒B3外周の螺条75と螺合可能に構成されている。また、各支持杆81の外面には、筒状基体B2の回転を伝達するためのリブ85を突縦設している。螺子部材B4の支持杆81は、二室容器Ａが嵌合されていない場合には、図４に示す如く、各支持杆81が外方へ傾いており、その螺条片83が押圧筒B3外周の螺条75と離間した状態で位置している。
【００３３】
連係部材B5は、二室容器Ａを装着した際に螺子部材B4の螺条片83を押圧筒B3の螺条75に螺合させる役割を果たし、また、筒状基体B2の回転を螺子部材B4に伝達する役割を果たすもので、装着した二室容器Ａにより上方付勢に抗して押し下げられることで螺子部材B4を内方へ押圧傾倒させ、螺子部材B4の螺条片83を押圧筒B3の螺条75に螺合させる如く構成している。
【００３４】
連係部材B5は、下部周壁部60内周に上下動可能に嵌合させた円筒状の筒部90を有し、筒部90の対向する外面にそれぞれ縦リブ61が上下動可能に嵌合する一対の外側凹溝91を縦設し、対向する内面にそれぞれ螺子部材B4のリブ85が上下動可能に嵌合する一対の内側凹溝92を縦設している。また、筒部90の内外中央には下端を開口した肉抜き空間93を設けている。更に、筒部90の上端縁より内方へフランジ部94を延設し、フランジ部94の内周縁より上方へ、テ−パ筒状の押圧部95を延設している。
【００３５】
この様に構成された連係部材B5は、コイルスプリングｓにより常時上方へ付勢されており、二室容器Ａが装着されていない状態では、図４に示す如く、その押圧部95の上端がフランジ部94の上方に突出した状態で装着されている。また、この状態から二室容器Ａを装着した際にはその底部により押圧部95上面が押圧されて、コイルスプリングｓによる上方付勢力に抗して連係部材B5が押し下げられ、その際、押圧部95の内面のテーパ面96により螺子部材B4上面の傾斜面84を内方へ押圧して各支持杆81を内方へ弾性的に傾倒させ、各螺条片83を押圧筒B3の螺条75と螺合させ、図１の状態となる。
【００３６】
図１は、二室容器Ａを混合装置Ｂに装着した状態を示し、この状態から台座B1及び筒状基体B2外周を掴んで相互に回転させると、縦リブ61と外側凹溝91との係合により連係部材B5が回転し、それに伴って、内側凹溝92とリブ85との係合により螺子部材B4が回転する。この際、押圧筒B3は支持棒50に対して回動しないため、各螺条片83と螺合する螺条75の螺動上昇により押圧筒B3が上昇する。上昇した押圧筒B3は第１可動壁A6を押し上げ、それに伴って、第１収容室R1内の内容物が第２可動壁A7を押圧して押し上げる。そして、第２可動壁A7が連通凹部13に差し掛かった際に第１収容室R1内の内容物が第２可動壁A7の外周を通り、第１収容室R1内に導入される。さらに押圧筒B3を上昇させると図３に示す如く、第１可動壁A6が第２可動壁A7の下面に当接するまで上昇し、第１収容室R1内の内容物が第２収容室R2内に移行し第２収容室R2の収容物と混合する。
【００３７】
次いで、筒状基体B2に対して二室容器Ａを所定角度回動させることで、各係合突起14を各挿通路71の下方位置に回動させた後、上方へ引き上げれば、図４に示す如く、二室容器Ａを混合装置Ｂから簡単に取り外すことができる。その際、連係部材B5はコイルスプリングｓにより上方へ押し上げられ、すると螺子部材B4の各支持杆81が弾性復元力により外方へ傾倒するため、各螺条片83が押圧筒B3の螺条75から外れ、それに伴って、自重で押圧筒B3が下降して元の状態に戻る。
【００３８】
新たな二室容器Ａを装着する場合には、図５に示す如く、各係合突起14を挿通路71に挿通させて二室容器Ａを押し込み、最下降位置で混合装置Ｂに対して二室容器Ａを回動させて、下向き段部73に係合突起14を係合させれば良い。その際、二室容器Ａの下面が連係部材B5の押圧部95を押し下げることでコイルスプリングｓの上方付勢力に抗して連係部材B5を押し下げ、それに伴って押圧部95下面のテ−パ面96が螺子部材B4の各傾斜面84を押圧して各支持杆81を内方へ傾倒させ、各螺条片83を螺条75に螺合させて図１の状態となる。
【００３９】
尚、上記各部材を形成する材質は特に限定されないが、合成樹脂を好ましく採用できる。
【符号の説明】
【００４０】
Ａ…二室容器
A1…本体部
10…内周壁，10a …縮径部，11…外周壁，12…連結筒部材，13…連通凹部，
14…係合突起
A2…中栓
20…蓋板部，21…シール筒
A3…固定枠
25…周壁部，26…フランジ部
A4…針装着部材
30…螺筒，31…頂板，32…針
A5…キャップ
A6…第１可動壁
A7…第２可動壁
R1…第１収容室
R2…第２収容室
Ｂ…混合装置
B1…台座
50…支持棒，51…係止突条，52…係止筒，53…支持筒
B2…筒状基体
B2a …下部筒状基体
60…下部周壁部，61…縦リブ，62…係合突条，63…フランジ，64…嵌合筒
B2b …上部筒状基体
70…上部周壁部，70a …小径部，71…挿通部，72…膨出部，73…下向き段部
B3…押圧筒
75…螺条
B4…螺子部材
80…取付基板，81…支持杆，82…螺条用突部，83…螺条片，84…傾斜面，
85…リブ
B5…連係部材
90…筒部，91…外側凹溝，92…内側凹溝，93…肉抜き空間，94フランジ部，
95…押圧部，96…テ−パ面
ｓ…コイルスプリング
【図１】
2010253113.tif 000003
【図２】
2010253113.tif 000004
【図３】
2010253113.tif 000005
【図４】
2010253113.tif 000006
【図５】
2010253113.tif 000007